(57)【要約】【課題】タッチパネル画面上のボタンを押下する際にユーザにとって本意でない処理が行われることを未然に防ぐことのできる電子機器を提供する。【解決手段】本発明の電子機器は、指等の接触物の接触を検出する接触検出部１０と、接触検出部１０に対する押圧荷重を検出する荷重検出部３０と、音楽ファイルを記憶する記憶部４０と、音楽ファイルを受信する受信部６０と、受信部６０により受信しようとする音楽ファイルが、記憶部４０に記憶された音楽ファイルと対応する場合、荷重検出部３０により検出される押圧荷重が第１の荷重基準を満たすと、所定の警告を行い、荷重検出部３０が第１の荷重基準より高い第２の荷重基準を満たすと、音楽ファイルを受信し、受信された音楽ファイルを記憶部４０に記憶するように制御する制御部７０を備える。【選択図】図１
2016018496.tif 000002
【特許請求の範囲】
【請求項１】
接触物の接触を検出する接触検出部と、
前記接触検出部に対する押圧荷重を検出する荷重検出部と、
データを記憶する記憶部と、
データを受信する受信部と、
前記受信部により受信しようとするデータが、前記記憶部に記憶されたデータと対応する場合、前記荷重検出部により検出される押圧荷重が第１の荷重基準を満たすと、所定の報知を行い、前記荷重検出部が前記第１の荷重基準より高い第２の荷重基準を満たすと、前記データを受信し、前記受信されたデータを前記記憶部に記憶するように制御する制御部と、
を備える電子機器。
【請求項２】
前記制御部は、前記所定の報知として、所定の画像を表示し、当該画像が表示されている状態において、前記第２の基準を満たすと、前記受信されたデータを記憶するように制御することを特徴とする請求項１に記載の電子機器。
【請求項３】
接触物の接触を検出する接触検出部と、
前記接触検出部に対する押圧荷重を検出する荷重検出部と、
所定のウェブサイトに関する処理を行うにあたっては、前記荷重検出部により検出される押圧荷重が第１の荷重基準を満たすと、所定の報知を行い、前記荷重検出部が前記第１の荷重基準より高い第２の荷重基準を満たすと、当該所定のウェブサイトに関する処理を行うように制御する制御部と、
を備える電子機器。
【請求項４】
前記制御部は、前記所定の報知として、所定の画像を表示し、当該画像が表示されている状態において、前記第２の基準を満たすと、前記ウェブサイトに関する処理を行うように制御することを特徴とする請求項３に記載の電子機器。
【請求項５】
接触物の接触を検出する接触検出部と、
前記接触検出部に対する押圧荷重を検出する荷重検出部と、
データを記憶する記憶部と、
前記記憶部に記憶されたデータを削除するにあたっては、前記荷重検出部により検出される押圧荷重が第１の荷重基準を満たすと、所定の報知を行い、前記荷重検出部が前記第１の荷重基準より高い第２の荷重基準を満たすと、当該記憶されたデータの削除を行うように制御する制御部と、
を備える電子機器。
【請求項６】
前記制御部は、前記所定の報知として、所定の画像を表示し、当該画像が表示されている状態において、前記第２の基準を満たすと、前記記憶されたデータの削除を行うように制御することを特徴とする請求項５に記載の電子機器。
【発明の詳細な説明】
【技術分野】
【０００１】
本発明は、タッチパネルを備える電子機器に関するものである。
【背景技術】
【０００２】
表示部を構成する液晶表示画面の前面に透明な入力部を重ねて配設することにより構成したタッチパネルを備える電子機器が開示されている（例えば、特許文献１参照）。このようなタッチパネルを有する電子機器は、一般的に、タッチパネルの表示画面上に、操作キーやボタンなどの画像ならびに入力を促す文字または文字列（以下、「オブジェクト」と記す）を表示する。表示画面上に表示されたオブジェクトをユーザが押圧すると、その位置に対応するタッチパネルの入力部が入力を受け付けるようになっている。
【先行技術文献】
【特許文献】
【０００３】
【特許文献１】特開２００６−３１１２２４号公報
【発明の概要】
【発明が解決しようとする課題】
【０００４】
ところで、タッチパネルを備える電子機器の中には、音楽再生機能を有するものがあり、このような音楽再生機能を有する電子機器では、音楽ファイルをインターネット上から購入して機器本体にダウンロードして再生する仕組みが構築されている。また、電子機器の記憶容量も増大しており、１つの電子機器に数千曲〜数万曲の音楽ファイルを保存しておくことが可能となっている。このような状況下において、沢山の音楽ファイルを購入、保存すると、どの音楽ファイルが既に購入済みなのか分からなくなり、ネット閲覧時にブラウザ画面上に表示されるボタンの押下によって、誤って同じ音楽ファイルを再購入してしまうことがある。
【０００５】
また、ネット閲覧時にブラウザ画面上に表示されるボタンの押下によって、誤った課金やセキュリティ上の問題が発生する可能性のある、ユーザにとって不本意なサイトに至ることがある。
【０００６】
また、タッチパネルの画面上でファイル操作を行う場合に、画面上に表示されるボタンの押下によって、誤って重要なファイルを削除してしまうことがある。
【０００７】
本発明は、このような問題点に鑑みてなされたものであり、本発明の目的は、タッチパネル画面上のボタンを押下する際にユーザにとって本意でない処理が行われることを未然に防ぐことのできる電子機器を提供することにある。
【課題を解決するための手段】
【０００８】
上記目的を達成するため、本発明の電子機器は、接触物の接触を検出する接触検出部と、前記接触検出部に対する押圧荷重を検出する荷重検出部と、データを記憶する記憶部と、データを受信する受信部と、前記受信部により受信しようとするデータが、前記記憶部に記憶されたデータと対応する場合、前記荷重検出部により検出される押圧荷重が第１の荷重基準を満たすと、所定の報知を行い、前記荷重検出部が前記第１の荷重基準より高い第２の荷重基準を満たすと、前記データを受信し、前記受信されたデータを前記記憶部に記憶するように制御する制御部とを備える。
【０００９】
前記制御部は、前記所定の報知として、所定の画像を表示し、当該画像が表示されている状態において、前記第２の基準を満たすと、前記受信されたデータを記憶するように制御することが好ましい。
【００１０】
また、本発明の電子機器は、接触物の接触を検出する接触検出部と、前記接触検出部に対する押圧荷重を検出する荷重検出部と、所定のウェブサイトに関する処理を行うにあたっては、前記荷重検出部により検出される押圧荷重が第１の荷重基準を満たすと、所定の報知を行い、前記荷重検出部が前記第１の荷重基準より高い第２の荷重基準を満たすと、当該所定のウェブサイトに関する処理を行うように制御する制御部とを備える。
【００１１】
前記制御部は、前記所定の報知として、所定の画像を表示し、当該画像が表示されている状態において、前記第２の基準を満たすと、前記ウェブサイトに関する処理を行うように制御することが好ましい。
【００１２】
また、本発明の電子機器は、接触物の接触を検出する接触検出部と、前記接触検出部に対する押圧荷重を検出する荷重検出部と、データを記憶する記憶部と、前記記憶部に記憶されたデータを削除するにあたっては、前記荷重検出部により検出される押圧荷重が第１の荷重基準を満たすと、所定の報知を行い、前記荷重検出部が前記第１の荷重基準より高い第２の荷重基準を満たすと、当該記憶されたデータの削除を行うように制御する制御部とを備える。
【００１３】
前記制御部は、前記所定の報知として、所定の画像を表示し、当該画像が表示されている状態において、前記第２の基準を満たすと、前記記憶されたデータの削除を行うように制御することが好ましい。
【発明の効果】
【００１４】
本発明は、タッチパネル画面上のボタンを押下する際に、所定の報知を行うとともに、多段押下を実行しないと処理が行えないようにしているので、ユーザにとって本意でない処理が行われることを未然に防ぐことができる。
【図面の簡単な説明】
【００１５】
【図１】本発明の第１の実施形態に係る電子機器の概略構成を示すブロック図である。
【図２】本発明の第１の実施形態に係る電子機器の実装構造の一例を示す図である。
【図３】本発明の第１の実施形態に係る電子機器の動作を示すフローチャートである。
【図４】本発明の第１の実施形態に係る電子機器の動作を模式的に示す図である。
【図５】本発明の第２の実施形態に係る電子機器の動作を示すフローチャートである。
【図６】本発明の第２の実施形態に係る電子機器の動作を模式的に示す図である。
【図７】本発明の第３の実施形態に係る電子機器の動作を示すフローチャートである。
【図８】表示部にデータフォルダのファイルアイコンが表示された状態を示す図である。
【図９】本発明の第３の実施形態に係る電子機器の動作を模式的に示す図である。
【図１０】本発明の第３の実施形態に係る電子機器の動作を模式的に示す図である。
【発明を実施するための形態】
【００１６】
本発明の実施の形態について図面を参照して説明する。
（第１の実施形態）
図１は、本発明の第１の実施形態に係る電子機器の概略構成を示すブロック図である。図１に示すように、電子機器１は、接触検出部（タッチパネル）１０と、表示部２０と、荷重検出部３０と、記憶部４０と、触感呈示部５０と、受信部６０と、制御部７０とを備える。
【００１７】
表示部２０は、押しボタンスイッチ（プッシュ式ボタンスイッチ）のようなオブジェクトを画像表示する。押しボタンスイッチとは、操作者が入力の操作に用いるボタンやキー等である。表示部２０は、例えば、液晶表示パネル（ＬＣＤ）や有機ＥＬ表示パネル等を用いて構成される。
【００１８】
接触検出部（タッチパネル）１０は、通常は表示部２０の前面に配置され、表示部２０に表示されたオブジェクトに対する操作者の指やスタイラスペン等の接触物（押圧物）による接触、または接触の解除を、対応する接触検出部１０の入力面１０ａにおいて検出する。また、接触検出部１０は、入力面１０ａに対する接触位置を検出し、検出した接触位置を制御部７０に通知する。この接触検出部１０は、例えば抵抗膜方式、静電容量方式等の公知の方式のもので構成される。なお、接触検出部１０が接触物による接触を検出する上で、接触物が接触検出部１０に物理的に触れることは必須ではない。例えば、接触検出部１０が光学式である場合は、接触検出部１０は当該接触検出部１０上の赤外線等が接触物で遮られた位置を検出するため、接触物が接触検出部１０に触れることは不要である。
【００１９】
荷重検出部３０は、接触検出部１０の入力面１０ａに対する押圧荷重を検出するものであり、例えば、歪みゲージセンサや圧電素子等の素子を用いて構成される。また、荷重検出部３０は、検出した入力面１０ａに対する押圧荷重を、制御部７０に通知する。
【００２０】
受信部６０は、インターネット経由で音楽ファイルデータやコンテンツデータを受信する。
【００２１】
記憶部４０は、公知技術によるメモリで構成することができ、受信部６０で受信した各種データや、入力された各種情報や、電子機器１を動作させるためのプログラムなどを記憶するとともに、ワークメモリとしても機能する。特に、本実施形態においては、制御部７０が、荷重検出部３０から取得した押圧荷重に応じて種々の処理を開始するときに用いる荷重基準の値と、各オブジェクトに対応する表示領域とを記憶する。
【００２２】
触感呈示部５０は、例えば圧電振動子等を用いて構成され、所定の振動パターンによる振動等を発生させることにより、入力面１０ａに接触している接触物に対して、所定の触感を呈示する。触感呈示部５０により、押圧荷重が荷重基準を満たしたか否かを操作者に報知することができる。
【００２３】
制御部７０は、表示部２０に表示されたオブジェクトの表示領域に対応する接触検出部１０の領域における接触物の接触位置と、荷重検出部３０が検出する押圧荷重とに基づいて、オブジェクトに対応付けられた所定の処理を開始する。また、荷重検出部３０から取得した押圧荷重が記憶部４０に記憶されている所定の荷重基準を満たす場合には、触感呈示部５０に対して触感呈示動作を行うように指示する。
【００２４】
図２は、図１に示した電子機器１の実装構造の一例を示すもので、図２（ａ）は要部断面図、図２（ｂ）は要部平面図である。表示部２０は、筐体１１内に収納保持する。表示部２０上には、弾性部材からなるインシュレータ１２を介して、接触検出部１０を保持する。なお、本実施の形態に係る電子機器１は、表示部２０および接触検出部１０を、平面視で矩形状としてある。本実施の形態において、接触検出部１０は、図２（ｂ）に仮想線で示す表示部２０の表示領域Ａから外れた４隅に配設したインシュレータ１２を介して表示部２０上に保持する。
【００２５】
また、筐体１１には、表示部２０の表示領域から外れた接触検出部１０の表面領域を覆うようにアッパカバー１３を設け、このアッパカバー１３と接触検出部１０との間に、弾性部材からなるインシュレータ１４を配設する。
【００２６】
なお、図２に示す接触検出部１０は、入力面１０ａを有する表面部材を、例えば透明フィルムやガラスで構成し、裏面部材をガラスやアクリルで構成している。接触検出部１０は、入力面１０ａが押圧されると、押圧部分が押圧力に応じて微少量撓む（歪む）、または構造体そのものが微少量撓む構造のものを用いる。
【００２７】
接触検出部１０の表面上には、アッパカバー１３で覆われる各辺の近傍に、接触検出部１０に加わる荷重（押圧力）を検出するための歪みゲージセンサ３１をそれぞれ接着等により設ける。また、接触検出部１０の裏面上には、対向する２つの辺の近傍に、接触検出部１０を振動させるための圧電振動子５１をそれぞれ接着等により設ける。すなわち、図２に示す電子機器１は、図１に示した荷重検出部３０を４つの歪みゲージセンサ３１を用いて構成し、触感呈示部５０を２つの圧電振動子５１を用いて構成している。そして、触感呈示部５０により接触検出部１０を振動させることにより、入力面１０ａを振動させるようにしている。なお、図２（ｂ）は、図２（ａ）に示した筐体１１、アッパカバー１３およびインシュレータ１４の図示を省略している。
【００２８】
次に、このように構成される本実施形態に係る電子機器の動作を説明する。図３は、本実施形態に係る電子機器の動作を示すフローチャートであり、図４は、本実施形態に係る電子機器の動作を模式的に示す図である。
【００２９】
まず、電子機器１の動作が開始され、ウェブ（Ｗｅｂ）ブラウザが起動されて、インターネットに接続され、受信部６０からコンテンツデータを受信して、図４（ａ）に示すように、表示部２０に、例えば音楽ファイル購入サイト（ウェブサイト）のコンテンツが表示されると（Ｓ１０１）、制御部７０は、表示されたコンテンツ上に「購入」ボタンがあるか否かを判定し（Ｓ１０２）、「購入」ボタンがない場合（Ｎｏの場合）は、他の処理を行い、「購入」ボタンがある場合（Ｙｅｓの場合）は、接触検出部１０を監視して、操作者の指等の接触物が「購入」ボタンをタップ（接触）したか「キャンセル」ボタンをタップ（接触）したかを判定する（Ｓ１０３）。
【００３０】
制御部７０は、「購入」ボタンがタップされず、「キャンセル」ボタンがタップされた場合（Ｓ１０３でＮｏの場合）は、購入を中止し、他の処理を行う。制御部７０は、「購入」ボタンがタップされた場合（Ｓ１０３でＹｅｓの場合、図４（ｂ））は、「購入」ボタンの１段階押下が行われたか否か、すなわち、荷重検出部３０により検出された押圧荷重が、第１の荷重基準を満たすか否かを判定する（Ｓ１０４）。１段階押下が行われない場合（Ｎｏの場合）、制御部７０は、接触検出部１０を監視して、操作者の指等の接触物が「購入」ボタンからリリース（非接触）されたか否かを判定する（Ｓ１０５）。リリースされた場合（Ｙｅｓの場合）は、Ｓ１０３に戻り、リリースされない場合（Ｎｏの場合）は、Ｓ１０４に戻る。
【００３１】
制御部７０は、「購入」ボタンの１段階押下が行われた場合、すなわち、第１の荷重基準を満たす場合（Ｓ１０４でＹｅｓの場合、図４（ｃ））は、触感呈示部５０に対して触感呈示動作を行うように指示した後、購入しようとする音楽ファイルを電子機器１内で検索し（Ｓ１０６）、購入しようとする音楽ファイルのデータが既にダウンロード済みであるか否かを判定する（Ｓ１０７）。
【００３２】
音楽ファイルのデータを購入して既に電子機器１内に存在する場合（Ｓ１０７でＹｅｓの場合）は、制御部７０は、表示部２０に「同じファイルが見つかりました。購入する場合はボタンを押し込んでください。」等の所定の警告メッセージの表示（報知）を行い（Ｓ１０８、図４（ｄ））、次に、「購入」ボタンの２段階押下が行われたか否か、すなわち、荷重検出部３０により検出された押圧荷重が、第１の荷重基準より大きい（高い）第２の荷重基準を満たすか否かを判定する（Ｓ１０９）。
【００３３】
制御部７０は、２段階押下が行われた場合、すなわち、第２の荷重基準を満たす場合（Ｓ１０９でＹｅｓの場合、図４（ｅ））、およびＳ１０７において購入しようとする音楽ファイルが電子機器１内に存在しなかった場合（Ｎｏの場合）は、触感呈示部５０に対して触感呈示動作を行うように指示した後、音楽ファイル購入のための決済処理を行い（Ｓ１１０）、購入しようとする音楽ファイルをダウンロードして保存する（Ｓ１１１、図４（ｆ））。Ｓ１０９において、「購入」ボタンの２段階押下が行われない場合（Ｎｏの場合）、制御部７０は、接触検出部１０を監視して、操作者の指等の接触物がリリースされたか否かを判定する（Ｓ１１２）。リリースされた場合（Ｙｅｓの場合）は、Ｓ１０３に戻り、リリースされない場合（Ｎｏの場合）は、Ｓ１０９に戻る。
【００３４】
なお、図４において、操作者の指が１段階押下、２段階押下している状態は、操作者の指の感覚を表現したものであり、実際には平坦であり、窪むものではない。
【００３５】
また、第１の実施形態において、クレジットカードでの購入では、「購入」ボタンがタップされた時点でクレジットカードの利用明細情報を取得して、これを表示するようにしてもよい。
【００３６】
また、Ｓ１０６の検索は、別の機器内の情報を対象にしても良い。その場合、同一機器と同一でない機器とで触感を変更しても良い。
【００３７】
また、音楽ファイルの音質に応じて、押下段階を設定しておき、同一ファイルでも音質で区別しても良い。例えば、図３のＳ１０７で「該当データあり」と判定された場合に、購入済みの楽曲の音質に対応するボタンの押下段階で、触感呈示部５０が触感呈示動作を行うようにしても良い。この場合、例えばボタンが最下段まで押下されたときにＳ１０９の「２段階押下検出」がなされたものとして処理を行っても良い。
【００３８】
（第２の実施形態）
次に、本発明による第２の実施形態に係る電子機器について説明する。第２の実施形態に係る電子機器は、第１の実施形態に係る電子機器と構成要素が同一であり、制御部７０による処理のみが相違する。したがって、以下では、第２の実施形態に係る電子機器の構成の説明は省略し、動作について説明する。図５は、本実施形態に係る電子機器の動作を示すフローチャートであり、図６は、本実施形態に係る電子機器の動作を模式的に示す図である。
【００３９】
まず、電子機器１の動作が開始され、ウェブブラウザが起動されて、インターネットに接続され、受信部６０からコンテンツデータを受信して、図６（ａ）に示すように、表示部２０に、例えば閲覧制限サイト（ウェブサイト）のコンテンツが表示されると（Ｓ２０１）、制御部７０は、表示されたコンテンツ上に「次へ」ボタンがあるか否かを判定し（Ｓ２０２）、「次へ」ボタンがない場合（Ｎｏの場合）は、他の処理を行い、「次へ」ボタンがある場合（Ｙｅｓの場合）は、ウイルスチェックソフト等のセキュリティソフトから危険度情報データを取得する（Ｓ２０３）。次に、制御部７０は、接触検出部１０を監視して、操作者の指等の接触物が「次へ」ボタンをタップ（接触）したか「戻る」ボタンをタップ（接触）したかを判定する（Ｓ２０４）。
【００４０】
制御部７０は、「次へ」ボタンがタップされず、「戻る」ボタンがタップされた場合（Ｎｏの場合）は、他の処理を行う。制御部７０は、「次へ」ボタンがタップされた場合（Ｓ２０４でＹｅｓの場合、図６（ｂ））は、「次へ」ボタンの１段階押下が行われたか否か、すなわち、荷重検出部３０により検出された押圧荷重が、第１の荷重基準を満たすか否かを判定する（Ｓ２０５）。１段階押下が行われない場合（Ｎｏの場合）、制御部７０は、接触検出部１０を監視して、操作者の指等の接触物がリリースされたか否かを判定する（Ｓ２０６）。リリースされた場合（Ｙｅｓの場合）は、Ｓ２０４に戻り、リリースされない場合（Ｎｏの場合）は、Ｓ２０５に戻る。
【００４１】
制御部７０は、「次へ」ボタンの１段階押下が行われた場合、すなわち、第１の荷重基準を満たす場合（Ｓ２０５でＹｅｓの場合、図６（ｃ））、触感呈示部５０に対して触感呈示動作を行うように指示した後、Ｓ２０３で取得した危険度情報に基づいて表示部２０に「１８歳未満閲覧不可の情報が含まれている可能性があります。次へ行く場合はさらにキーを押してください。」等の所定の警告メッセージの表示（報知）を行い（Ｓ２０７、図６（ｄ））、次に、「次へ」ボタンの２段階押下が行われたか否か、すなわち、荷重検出部３０により検出された押圧荷重が、第２の荷重基準を満たすか否かを判定する（Ｓ２０８）。２段階押下が行われない場合（Ｎｏの場合）、制御部７０は、接触検出部１０を監視して、操作者の指等の接触物がリリースされたか否かを判定する（Ｓ２０８）。リリースされた場合（Ｙｅｓの場合）は、Ｓ２０４に戻り、リリースされない場合（Ｎｏの場合）は、Ｓ２０８に戻る。
【００４２】
制御部７０は、「次へ」ボタンの２段階押下が行われた場合、すなわち、第１の荷重基準より大きい（高い）第２の荷重基準を満たす場合（Ｓ２０８でＹｅｓの場合、図６（ｅ））は、触感呈示部５０に対して触感呈示動作を行うように指示した後、Ｓ２０３で取得した危険度情報に基づいて表示部２０に「このサイトは課金が発生する可能性があります。次に行く場合はさらにキーを押してください。」等の所定の警告メッセージの表示（報知）を行い（Ｓ２１０、図６（ｆ））、次に、「次へ」ボタンの３段階押下が行われたか否か、すなわち、荷重検出部３０により検出された押圧荷重が、第３の荷重基準を満たすか否かを判定する（Ｓ２１１）。３段階押下が行われない場合（Ｎｏの場合）、制御部７０は、接触検出部１０を監視して、操作者の指等の接触物がリリースされたか否かを判定する（Ｓ２１２）。リリースされた場合（Ｙｅｓの場合）は、Ｓ２０４に戻り、リリースされない場合（Ｎｏの場合）は、Ｓ２１１に戻る。
【００４３】
制御部７０は、「次へ」ボタンの３段階押下が行われた場合、すなわち、第２の荷重基準より大きい（高い）第３の荷重基準を満たす場合（Ｓ３１１でＹｅｓの場合）は、触感呈示部５０に対して触感呈示動作を行うように指示した後、ブラウザデータのダウンロードを行い（Ｓ２１３）、表示部２０に表示されるコンテンツの更新を行う（Ｓ２１４）。
【００４４】
なお、図６において、操作者の指が１段階押下、２段階押下している状態は、操作者の指の感覚を表現したものであり、実際には平坦であり、窪むものではない。
【００４５】
また、第２の実施形態に係る電子機器では、「次へ」ボタンの３段階押下の場合について説明したが、３段階押下に限らず、１段階押下する毎にそれぞれ所定の表示（報知）を行うようにして複数段階押下をするようにしてもよい。
【００４６】
（第３の実施形態）
次に、本発明による第３の実施形態に係る電子機器について説明する。第３の実施形態に係る電子機器は、第１の実施形態に係る電子機器と構成要素が同一であり、制御部７０による処理のみが相違する。したがって、以下では、第３の実施形態に係る電子機器の構成の説明は省略し、動作について説明する。図７は、本実施形態に係る電子機器の動作を示すフローチャートであり、図８は、表示部にデータフォルダのファイルアイコンが表示された状態を示す図であり、図９および図１０は、本実施形態に係る電子機器の動作を模式的に示す図である。
【００４７】
図８（ａ）は、表示部２０にデータフォルダのファイルアイコンが表示された状態を示している。なお、各ファイルは、作成されるときに重要度を意味するフラグが添付されているものとする。図８（ｂ）は、各ファイルに添付されているフラグを示している。数値が大きいほどファイルの重要度が大きいことを示している。
【００４８】
制御部７０は、接触検出部１０を監視して、操作者の指等の接触物が、削除しようとするファイルのアイコンにタップ（接触）し（Ｓ３０１）、サブメニューの中の「削除」ボタンにタップ（接触）したことを検出して、削除操作が行われたことを検出すると（Ｓ３０２）、ファイルに添付されているフラグからファイルの重要度を読み出す（Ｓ３０３）。次に、制御部７０は、読み出した重要度が０か否かを判定する（Ｓ３０４）。制御部７０は、重要度が０の場合（Ｙｅｓの場合）は、ファイル削除処理を行う（Ｓ３１２）。図９は、重要度０のファイルの削除操作を示している。重要度０のファイルは、操作者の指等の接触物がサブメニューの中の「削除」ボタンにタップ（接触）しただけで削除される。
【００４９】
制御部７０は、重要度が０でない場合（Ｓ３０４でＮｏの場合）は、「このファイルは重要ファイルです。削除しますか？」等の警告メッセージを表示し（Ｓ３０５）、ファイルの重要度ｎの情報から押下階層ｎ段を決定する（Ｓ３０６）。制御部７０は、ｋ（初期値ｋ＝１）段目の押下を検出した場合、すなわち、第ｋの荷重基準を満たす場合（Ｓ３０７でＹｅｓの場合）、触感呈示部５０に対して触感呈示動作を行うように指示した後、ｋ段階目の所定の警告メッセージの表示（報知）を行い（Ｓ３０９）、最下段、すなわちｋ＝ｎか否かを判定し（Ｓ３１０）、最下段（現在の段階＝ｎ段）の場合（Ｙｅｓの場合）は、ファイル削除処理を行う（Ｓ３１２）。
【００５０】
Ｓ３０７において、ｋ段目の押下を検出しない場合（Ｎｏの場合）は、操作者の指等の接触物がリリースされたか否かを判定する（Ｓ３０８）。リリースされない場合（Ｎｏの場合）は、Ｓ３０７に戻り、リリースされた場合（Ｙｅｓの場合）は、他の処理を行う。Ｓ３１０において、最下段でない場合（Ｎｏの場合）は、ｋをインクリメントし（Ｓ３１１）、Ｓ３０７に戻る。
【００５１】
なお、第ｋの荷重基準は、ｋの値が大きくなるほど荷重基準の値が大きく（高く）なるものとする。
【００５２】
図１０は、重要度２のファイルの削除操作を示す図である。図１０は、操作者の指がサブメニューの中の「削除」ボタンにタップ（接触）すると、画面上に「このファイルは重要ファイルです。削除しますか？」の警告メッセージを表示し、１段階押下が検出されると、画面上に「削除すると復旧できません。削除しますか？」の警告メッセージを表示し、さらに２段階押下が検出されると、画面上に「削除しました。」と表示されることを示している。なお、操作者の指が１段階押下、２段階押下している状態は、操作者の指の感覚を表現したものであり、実際には平坦であり、窪むものではない。
【００５３】
上述したように、本実施形態に係る電子機器は、タッチパネル画面上のボタンを押下する際に、危険や懸念の度合いに応じて警告を報知するとともに、多段押下を実行しないと処理が行えないようにしているので、ユーザにとって本意でない処理が行われることを未然に防ぐことができる。
【００５４】
なお、上述した本発明の実施形態において、記憶部４０に記憶されている荷重基準の値は、操作者によって適宜変更されるものであってもよい。
【００５５】
また、上述した本発明の実施形態おいては、表示部２０の画面上に警告メッセージを表示する際に、バイブレーション振動、報知音などを出力するようにしてもよい。
【００５６】
また、上述した本発明の実施形態おいては、接触検出部１０を用いて入力面１０ａに対する接触を検出したが、荷重センサ（荷重検出部）を用いて、所定の押圧荷重の基準を満たした場合に、接触がなされたものと判定することもできる。このような荷重検出部は、上述した実施の形態の荷重検出部３０と同様に、任意の個数の歪みゲージセンサ３１等を用いて構成することができる。
【００５７】
また、触感呈示部５０は、振動モータ（偏心モータ）に基づいて電子機器１を振動させることにより、接触検出部１０の入力面１０ａを間接的に振動させるように構成することもできる。さらに、荷重検出部３０および触感呈示部５０は、圧電素子を用いて構成する場合は、圧電素子を共用して荷重検出部３０および触感呈示部５０を構成することもできる。圧電素子は、圧力が加わると電力（電圧）を発生し、電力（電圧）が加えられると変形するためである。
【００５８】
上述した本発明の実施形態においては、接触検出部１０を表示部２０の上面に重ねて配置した構成を想定して説明したが、必ずしもこのような構成にする必要はなく、接触検出部１０と表示部２０とを離間した構成にしてもよい。
【００５９】
また、上述した本発明の実施形態において、触感呈示部５０が入力面１０ａに接触している接触対象に対して触感を呈示する態様として、触感呈示部５０が入力面１０ａに振動を発生させることにより、入力面１０ａに接触している接触対象に対して触感を呈示する態様を挙げて説明したが、本発明はこれに限定されず、接触検出部１０上に貼ったフィルムの電荷を制御する等により、機械的な振動を使わずに、入力面１０ａに接触している接触対象に対して触感を呈示してもよい。
【００６０】
また、上述の本発明の実施形態において、接触検出部１０および表示部２０は、接触検出部１０および表示部２０の両機能を共通の基板に持たせる等により、一体化した装置によって構成されてもよい。このような接触検出部１０および表示部２０の両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００６１】
また、上述した本発明の実施態様においては、荷重検出部について詳述したが、荷重検出部が圧電素子として構成される場合、本発明の「接触検出部に対する押圧荷重を検出する」には、「接触検出部に対する押圧荷重に基づき電圧を出力（発生）する」ことが含まれるものである。また、同様に、本発明の「荷重基準」には、「電圧による基準である電圧基準」が含まれるものである。また、同様に、「荷重検出部により検出する押圧荷重」には、「圧電素子により出力（発生）する電圧」が含まれるものである。このように、荷重検出部として圧電素子を用いて、圧電素子が接触検出部に対する押圧荷重に基づき電圧を出力（発生）する場合などには、制御部は、圧電素子が出力する電圧から接触検出部に対する押圧荷重を算出などすることなく、圧電素子が出力する電圧に基づき、所定の処理を行うか否かの判断を行ってもよい。
【００６２】
また、上述した本発明の実施態様において、所定の荷重基準を満たすこととは、例えば、接触検出部に対する押圧荷重が所定の荷重閾値以上になることや、接触検出部に対する押圧荷重が所定の荷重閾値を超えること、接触検出部に対する押圧荷重が一定時間荷重閾値以上であることなどである。
【符号の説明】
【００６３】
１    電子機器
１０  接触検出部
１０ａ  入力面
１１  筐体
１２  インシュレータ
１３  アッパカバー
１４  インシュレータ
２０  表示部
３０  荷重検出部
３１  歪みゲージセンサ
４０  記憶部
５０  触感呈示部
６０  受信部
５１  圧電振動子
７０  制御部
【図１】
2016018496.tif 000003
【図２】
2016018496.tif 000004
【図３】
2016018496.tif 000005
【図４】
2016018496.tif 000006
【図５】
2016018496.tif 000007
【図６】
2016018496.tif 000008
【図７】
2016018496.tif 000009
【図８】
2016018496.tif 000010
【図９】
2016018496.tif 000011
【図１０】
2016018496.tif 000012